【手続補正書】
【提出日】令和1年7月22日(2019.7.22)
【手続補正１】
【補正対象書類名】特許請求の範囲
【補正対象項目名】全文
【補正方法】変更
【補正の内容】
【特許請求の範囲】
【請求項１】
像担持体と、
前記像担持体に形成された静電像を現像剤で現像する現像動作を行う現像剤担持体と、
前記像担持体と前記現像剤担持体のそれぞれの周速を個々かつ可変に回転駆動する駆動手段と、
前記像担持体において、暗部電位から明部電位を形成することにより、前記像担持体に静電像を形成する潜像形成手段と、
前記現像剤担持体に現像バイアスを印加する印加手段と、
を備え、
前記像担持体の周速に対する前記現像剤担持体の周速の比率を周速比として定義したとき、前記駆動手段は、前記像担持体と前記現像剤担持体を、第１の周速比と、前記第１の周速比よりも大きい第２の周速比と、
で駆動可能であり、
前記現像剤担持体に担持された現像剤の単位面積当たりの電荷量をＱ／Ｓとし、
前記周速比をΔｖ
としたとき、
前記第１の周速比は、前記現像剤担持体から前記像担持体に移動する現像剤の帯電電荷量を表す｜Ｑ／Ｓ×Δｖ｜が前記像担持体で受け取れる現像剤の単位面積当たりの電荷量よりも小さくなるように設定され、
前記第２の周速比は、｜Ｑ／Ｓ×Δｖ｜が前記像担持体で受け取れる現像剤の単位面積当たりの電荷量よりも大きくなるように設定されることを特徴とする画像形成装置。
【請求項２】
前記第１の周速比および前記第２の周速比は、前記現像動作後の前記現像剤担持体に残る現像剤の量が、前記第１の周速比で回転させる場合よりも多くなるように設定されていることを特徴とする請求項１に記載の画像形成装置。
【請求項３】
温度及び湿度を検知する検知手段をさらに備え、
前記検知手段が検知した温度が所定の温度以下、かつ前記検知手段が検知した湿度が所定の湿度以下の場合、第１の現像コントラストよりも小さい第２の現像コントラストが形成されるように、前記潜像形成手段は前記明部電位を変化させる、または前記印加手段は印加する前記現像バイアスの大きさを変化させることを特徴とする請求項１または２に記
載の画像形成装置。
【請求項４】
前記検知手段が検知した温度が所定の温度以上、かつ前記検知手段が検知した湿度が所定の湿度以上の場合、前記第１の現像コントラストよりも大きい第３の現像コントラストが形成されるように、前記潜像形成手段は前記明部電位を変化させることを特徴とする請求項３に記載の画像形成装置。
【請求項５】
前記潜像形成手段は、前記像担持体上に前記暗部電位を形成するために前記像担持体を帯電させる帯電手段と、前記像担持体上に前記明部電位を形成するために帯電された前記像担持体を露光する露光手段と、を有し、前記露光手段による露光の光量を変化させて前記明部電位を変化させることを特徴とする請求項１〜４のいずれか１項に記載の画像形成装置。
【請求項６】
前記駆動手段は、前記像担持体と前記現像剤担持体が対向する対向部において互いに同じ方向に移動するように前記像担持体と前記現像剤担持体を回転させることを特徴とする請求項１〜５のいずれか１項に記載の画像形成装置。
【請求項７】
前記駆動手段は、
前記第１の周速比の場合では、前記像担持体の周速を前記第２の周速比の場合と同じようにし、
前記第２の周速比の場合では、前記第１の周速比の場合よりも前記現像剤担持体の周速を速くすることを特徴とする請求項１〜６のいずれか１項に記載の画像形成装置。
【請求項８】
前記駆動手段は、
前記第１の周速比の場合では、前記現像剤担持体の周速を前記第２の周速比の場合と同じようにし、
前記第２の周速比の場合では、前記第１の周速比の場合よりも前記像担持体の周速を遅くすることを特徴とする請求項１〜６のいずれか１項に記載の画像形成装置。
【請求項９】
前記駆動手段は、
前記第２の周速比の場合では、前記第１の周速比の場合よりも前記現像剤担持体の周速を遅くし、
前記第２の周速比の場合では、前記第１の周速比の場合よりも前記像担持体の周速を遅くし、
前記現像剤担持体の周速の下げ幅と前記像担持体の周速の下げ幅とを異ならせることで、前記第２の周速比を前記第１の周速比よりも大きくすることを特徴とする請求項１〜６のいずれか１項に記載の画像形成装置。
【請求項１０】
前記第１の周速比で画像を形成する記録材よりも長い記録材に画像を形成することが可能なように、前記第１の周速比および前記第２の周速比が設定されていることを特徴とする請求項１〜９のいずれか１項に記載の画像形成装置。
【請求項１１】
前記第１の周速比で形成する場合よりも、前記第２の周速比で形成する場合には、記録剤に形成される画像の単位面積当たりの現像剤の載り量が多くなるように、前記第１の周速比と前記第２の周速比が設定されていることを特徴とする請求項１〜１０のいずれか１項に記載の画像形成装置。
【請求項１２】
前記現像剤担持体に現像剤を供給する供給部材と、
前記供給部材が配置された現像室と、
前記現像室に連通し、現像剤が収容される収容室と、
前記収容室に配置され、現像剤を前記現像室に向けて搬送する搬送部材と、
をさらに備え、
前記現像室と前記収容室とが連通する連通口は、前記収容室において前記搬送部材よりも上方に位置することを特徴とする請求項１〜１１のいずれか１項に記載の画像形成装置。
【手続補正２】
【補正対象書類名】明細書
【補正対象項目名】０００７
【補正方法】変更
【補正の内容】
【０００７】
上記目的を達成するため、本発明の画像形成装置は、
像担持体と、
前記像担持体に形成された静電像を現像剤で現像する現像動作を行う現像剤担持体と、
前記像担持体と前記現像剤担持体のそれぞれの周速を個々かつ可変に回転駆動する駆動手段と、
前記像担持体において、暗部電位から明部電位を形成することにより、前記像担持体に静電像を形成する潜像形成手段と、
前記現像剤担持体に現像バイアスを印加する印加手段と、
を備え、
前記像担持体の周速に対する前記現像剤担持体の周速の比率を周速比として定義したとき、前記駆動手段は、前記像担持体と前記現像剤担持体を、第１の周速比と、
前記第１の周速比よりも大きい第２の周速比と、
で駆動可能であり、
前記現像剤担持体に担持された現像剤の単位面積当たりの電荷量をＱ／Ｓとし、
前記周速比をΔｖ
としたとき、
前記第１の周速比は、前記現像剤担持体から前記像担持体に移動する現像剤の帯電電荷量を表す｜Ｑ／Ｓ×Δｖ｜が前記像担持体で受け取れる現像剤の単位面積当たりの電荷量よりも小さくなるように設定され、
前記第２の周速比は、｜Ｑ／Ｓ×Δｖ｜が前記像担持体で受け取れる現像剤の単位面積当たりの電荷量よりも大きくなるように設定されることを特徴とする。
上記目的を達成するため、本発明の画像形成装置は、
像担持体と、
前記像担持体に形成された静電像を現像剤で現像する現像動作を行う現像剤担持体と、
前記像担持体と前記現像剤担持体のそれぞれの周速を別々かつ可変に回転駆動する駆動手段と、を備え、
前記像担持体の周速に対する前記現像剤担持体の周速の比率を周速比として定義したとき、
前記駆動手段は、前記像担持体と前記現像剤担持体を、第１の周速比と、前記第１の周速比よりも大きい第２の周速比と、で駆動可能であり、
前記第１の周速比及び前記第２の周速比は、前記第１の周速比で回転させる場合よりも、前記第２の周速比で回転させる場合には、前記現像動作後の前記現像剤担持体に残る現像剤の量が多くなるように設定されていることを特徴とする。